(57)【要約】【課題】  従来から、集中豪雨や洪水等の水害緊急時に車両や工場商品の浸水被害および建物や敷地への浸水被害を防止するための浸水防止ゲート壁構成装置は、浸水防止ゲート壁の形成に手間と時間がかかる問題点を有している。また、組立部材や組立工程が多く、大掛かりで経済的に一般市民が使用するには高価すぎる問題点を有している。【解決手段】  本発明は、簡易な構造の螺旋状に巻回したシート支持具１を骨組みとし、可撓性防水シート材５からなる浸水防止シート壁の自立を迅速かつ確実に形成でき、経済的に一般市民が使用することのできる安価な浸水防止シート壁の自立形成支持装置である。【選択図】図２
2008031816.tif 000002
【特許請求の範囲】
【請求項１】
浸水を防止すべく可撓性防水シート材からなる浸水防止装置であって、螺旋状に巻回したシート支持具１を骨組みとすることを特徴とする浸水防止シート壁の自立形成支持装置。
【請求項２】
請求項１記載の螺旋状に巻回したシート支持具１には、浸水を防止すべく可撓性防水シート材を係留する係留具として、螺旋状に巻回したシート支持具１本体に固定されたフック３及び係留穴４を穿孔したことを特徴とする浸水防止シート壁の自立形成支持装置。
【請求項３】
請求項２記載の係留具は、シート支持具１の螺旋状に巻回された少なくとも１ターンに２箇所備えたことを特徴とする浸水防止シート壁の自立形成支持装置。
【請求項４】
請求項１記載の螺旋状に巻回したシート支持具１は、両端部に一対の連結解離可能な端部連結具２を備えたことを特徴とする浸水防止シート壁の自立形成支持装置。
【発明の詳細な説明】
【技術分野】
【０００１】  本発明は、集中豪雨や洪水等の水害緊急時に車両や工場商品の浸水被害、および建物や敷地への浸水被害を防止するための可撓性材料からなる浸水防止シート壁を、螺旋状に巻回したシート支持具を骨組みとする浸水防止シート壁の自立形成支持装置に関する。
【背景技術】
【０００２】  従来から、集中豪雨や洪水等の水害緊急時に車両や工場商品の浸水被害および建物や敷地への浸水被害を防止するための各種の装置が報告されている。【０００３】  その中で、主として鋼枠体を適当数連結した止水枠板を、逆Ｕ字状に折り曲げられた挟持部とＬ字状水平延長安定部で構成された転倒防止用金具にて表裏両面から挟み込み自立させることで、洪水防止用止水枠板を形成し止水させる様に構成したことを特徴とした仕組みが開示されている。（例えば、特許文献１参照）【０００４】  また、可撓性シート材料からなる複数の水貯留容器（水土嚢）が互いに隣り合い、合成樹脂板や木板などの周壁を自立させることで、外部から浸入する雨水などに対する防水バリヤーとなる機能を有する仕組みも開示されている。（例えば、特許文献２参照）【０００５】
【特許文献１】特開２００４−２１８４１５号公報（第４図，第５図）
【特許文献２】特開２００１−９００３９号公報（第１図）
【発明が解決しようとする課題】
【０００６】  しかしながら、上記従来例の洪水防止用止水板構造は、組立部材や組立工程が多く、大掛かりで経済的に一般市民が使用するには高価すぎる問題点を有している。
【０００７】  また、上記従来例の水貯留容器（水土嚢）構造は、可撓性シート材料からなる水貯留容器（水土嚢）で、折り畳めコンパクトに収納できる特徴はあるが、水貯留容器内に流体（水道水、雨水など）や土石などを入れて自立させるため、空の水貯留容器（水土嚢）を予め危険箇所に設置した後、水貯留容器内に流体（水道水、雨水など）や土石などを供給する手間で時間がかかる問題や設置した危険箇所に供給物がない場合は自立できない問題を有している。
【０００８】  本発明は、このような課題に鑑みてなされたものであり、可撓性材料からなる浸水防止シート壁の自立を迅速かつ確実に形成でき、構造が簡易で安価に提供できることを目的とする。
【課題を解決するための手段】
【０００９】  本発明に係る発明の浸水防止シート壁の自立形成支持装置は、上記の目的を達成するため、簡易な構造の螺旋状に巻回したシート支持具を骨組みとし、可撓性材料からなる浸水防止シート壁の自立を迅速かつ確実に形成でき、経済的に一般市民が使用することのできる安価な浸水防止シート壁の自立形成支持装置を提供する。
【発明の効果】
【００１０】  本発明は、以下に記載されるような効果を奏する。
請求項１記載の発明の浸水防止シート壁の自立形成支持装置は、浸水を防止すべく可撓性防水シート材からなる浸水防止装置であって、螺旋状に巻回したシート支持具を骨組みとすることで、可撓性材料からなる浸水防止シート壁の自立を迅速かつ確実に形成することができる。
【００１１】  また、請求項２記載の発明は、請求項１に記載の螺旋状に巻回したシート支持具には、浸水を防止すべく可撓性防水シート材を係留する係留具として、螺旋状に巻回したシート支持具本体に固定されたフック及び係留穴を穿孔し、浸水防止シートと螺旋状に巻回したシート支持具の骨組みとを迅速かつ確実に連結することができる。
【００１２】  請求項３記載の発明は、請求項２に記載の係留具は、シート支持具の螺旋状に巻回された少なくとも１ターンに２箇所備え、浸水防止シートと螺旋状に巻回したシート支持具の骨組みとを強固に均等に連結することができる。
【００１３】  請求項４記載の発明は、請求項１に記載の螺旋状に巻回したシート支持具は、両端部に一対の連結解離可能な端部連結具を備え、浸水を防止する開口幅に合わせて増設が可能な多様性に対応すべく連結具を設ける。なお、螺旋状に巻回したシート支持具は、螺旋状で伸縮変形が可能で、異形な開口部や多様な開口幅に合わせての設置ができる特徴を有している。
【発明を実施するための最良の形態】
【００１４】  以下に、この発明方法を図示実施例に基づいて具体例的に説明する。図１は本発明に係わる浸水防止シート壁の自立形成支持装置を備えた、浸水を防止すべく可撓性防水シート材５からなる脱着可能な浸水防止装置６の一実施例を示す斜視図である。同図に示すように、浸水を防止すべく可撓性防水シート材５からなる脱着可能な浸水防止装置６を、屋内側に敷きこまれた状態で、水の圧力（重さ）の影響で地面１１部および側壁１０部との隙間を圧密し、より確実に強力な止水効果を発揮する状態を示している。その屋内側の可撓性防水シート材５の立ち上がり部には、本発明の浸水防止シート壁の自立形成支持装置である螺旋状に巻回したシート支持具１を骨組みとして設置し浸水防止ゲートが形成され、外部からの浸水を防ぐことを示している。また、浸水を防止すべく可撓性防水シート材５からなる脱着可能な浸水防止装置６のシート係留部１４とシート縁部１５に備えている引っ掛け係留具（鳩目など）１３を、本発明の浸水防止シート壁の自立形成支持装置である螺旋状に巻回したシート支持具１本体に固定されたフック３または係留穴４に係留した状態を示している。なお、本発明の浸水防止シート壁の自立形成支持装置である螺旋状に巻回したシート支持具１の両端部には、一対の連結解離可能な端部連結具２を備え、浸水を防止する開口幅に合わせて増設が可能なものとなっている。また、その端部連結具２は、本発明の浸水防止シート壁の自立形成支持装置である螺旋状に巻回したシート支持具１の先端部２０による浸水を防止すべく可撓性防水シート材５の損傷を回避すべく、本発明の浸水防止シート壁の自立形成支持装置である螺旋状に巻回したシート支持具１の両端部には、一対の連結解離可能な端部連結具２を備えている。【００１５】  図２は本発明に係わる浸水防止シート壁の自立形成支持装置を、可撓性防水シート材５の立ち上がり部の内側に備えた一実施例を示す斜視図である。同図に示すように、本発明の浸水防止シート壁の自立形成支持装置を可撓性防水シート材５の立ち上がり部の内側に設置し、浸水防止ゲートが形成され浸水を防ぐことを示している。また、本発明の浸水防止シート壁の自立形成支持装置である螺旋状に巻回したシート支持具１本体に固定されたフック３及び係留穴４を穿孔した係留具に、浸水を防止すべく可撓性防水シート材５からなる脱着可能な浸水防止装置６のシート係留部１４とシート縁部１５に備えている引っ掛け係留具（鳩目など）１３を連結具（連結リングなど）１２で係留した状態を示している。本発明の浸水防止シート壁の自立形成支持装置である螺旋状に巻回したシート支持具１は骨組みとしての充分な強度を備えていれば、材質に関して特に問われるものではない。例えば金属、プラスチック、木材などが利用できるが、浸水の水圧力に耐え得る剛性を持ち、軽量で比較的安価に入手し得る材質であるのが好ましく、それが金属である場合には、水に依って酸化されず、容易に入手し得る塗装鋼板、アルミ鋼板、ステンレス鋼板などが好ましい。ただし金属製のものであってもかまわないし、樹脂製のものであってもかまわないものである。【００１６】  図３は本発明に係わる浸水防止シート壁の自立形成支持装置を、可撓性防水シート材５の立ち上がり部の外側に備えた一実施例を示す斜視図である。同図に示すように、本発明の浸水防止シート壁の自立形成支持装置を可撓性防水シート材５の立ち上がり部の外側に設置し、浸水防止ゲートが形成され浸水を防ぐことを示している。また、本発明の浸水防止シート壁の自立形成支持装置である螺旋状に巻回したシート支持具１本体に固定されたフック３及び係留穴４を穿孔した係留具に、浸水を防止すべく可撓性防水シート材５からなる脱着可能な浸水防止装置６のシート係留部１４とシート縁部１５に備えている引っ掛け係留具（鳩目など）１３を連結具（連結リングなど）１２で係留した状態を示している。【００１７】  図４は本発明に係わる浸水防止シート壁の自立形成支持装置の設置工程の一実施例を示す斜視図である。図４（ａ）は本発明の浸水防止シート壁の自立形成支持装置の設置完了時を示す斜視図である。図４（ｂ）は本発明の浸水防止シート壁の自立形成支持装置の設置工程の途中を示す斜視図である。図４（ｃ）は本発明の浸水防止シート壁の自立形成支持装置の設置工程の初期段階または収納時を示す斜視図である。同図に示すように、伸縮自在な本発明の浸水防止シート壁の自立形成支持装置は、伸縮変形が可能な螺旋状に巻回したシート支持具１であり、設置完了時の拡張使用に比べ、収納時はコンパクトな状態であることを示している。【００１８】  図５は本発明に係わる浸水防止シート壁の自立形成支持装置を、浸水を防止する開口幅に合わせて複数連結設置できる状態の一実施例を示す斜視図である。同図に示すように、下記図６に示すように一対の連結解離可能な端部連結具２を備えてなくても、本発明の浸水防止シート壁の自立形成支持装置は、螺旋状に巻回したシート支持具１本体に係留穴４を穿孔した係留具を備えており、その係留穴４同士を連結具１８（ボルトなど）で連結し、浸水を防止すべく開口幅に合わせての複数連結設置が可能であり、多様な条件に対応できる特徴をもっている。【００１９】  図６は本発明に係わる浸水防止シート壁の自立形成支持装置を、複数連結設置できる状態の一実施例を示す斜視図である。同図に示すように、本発明の浸水防止シート壁の自立形成支持装置は、螺旋状に巻回したシート支持具１の両端部に一対の連結解離可能な端部連結具２を備えており、その端部連結具２同士を連結具１８（ボルトなど）で連結することで、上記図５に示す係留穴４同士の連結に比べ、より強固に均等に複数連結設置が可能であり、浸水を防止する開口幅に合わせて多様な条件に対応できる特徴をもっている。【００２０】  図７は本発明に係わる浸水防止シート壁の自立形成支持装置を、排水桝１６開口部よりの排水逆流１７の浸水を防止すべく備えた状態の一実施例を示す斜視図である。同図に示すように、本発明の浸水防止シート壁の自立形成支持装置は、伸縮変形が可能な螺旋状に巻回したシート支持具１であり、排水桝１６開口部を取り囲む形状で設置が可能で、可撓性防水シート材５からなるシート周壁の自立を迅速かつ確実に形成することができる。【００２１】  図８は本発明に係わる浸水防止シート壁の自立形成支持装置を、貯留漕や簡易プールなど、流体（水など）を蓄える装置に備えた状態の一実施例を示す��である。図８（ａ）は本発明の浸水防止シート壁の自立形成支持装置を、貯留漕や簡易プールなど流体（水など）を蓄える装置に備えた状態の一実施例を示す平面図である。図８（ｂ）は本発明の浸水防止シート壁の自立形成支持装置を、貯留漕や簡易プールなど流体（水など）を蓄える装置に備えた状態の一実施例を示すＡ−Ａ断面の斜視図である。同図に示すように、本発明の浸水防止シート壁の自立形成支持装置は、伸縮変形が可能な螺旋状に巻回したシート支持具１であり、そのシート支持具１両端部の端部連結具２を連結したリング状の貯留漕や簡易プールを形成し、流体（水など）を蓄える防水バリヤーとなる機能の可撓性防水シート材５からなるシート周壁の自立を迅速かつ確実に形成することができる。なお、浸水を防止すべく浸水防止装置は、緊急時にのみ使用するものであることから、平常時は収納庫などに収納し常時折り込まれた状態で待機することとなり、害獣（ネズミなど）害虫（カツオブシムシなど）による食害や、直射日光による紫外線やゴミなどの異物の混入による可撓性材料の劣化や損傷の発生が起きやすいなど、過酷な環境による影響で保持点検が必要となるが、なかなか保持点検は行えないのが実情である。しかしながら、本発明に係わる浸水防止シート壁の自立形成支持装置は、家庭用プールとして保持点検を兼ねた平常時の利用が可能で、一般市民の利用にふさわしい特徴を有している。【００２２】  図９は本発明に係わる浸水防止シート壁の自立形成支持装置を、地面接地部の湾曲部をストレートに形状変更した一実施例を示す斜視図である。同図に示すように、本発明の浸水防止シート壁の自立形成支持装置である螺旋状に巻回したシート支持具１の形状に関しては、特にリング状（円形）に固守するものではない。例えば多角形、四角形、三角形、その他（扁平形状、スクロウェーブスプリング、パンタグラフ状など）が利用できるが、簡易な構造で比較的安価に加工できる形状であることが好ましく、それがリング状のスプリング形状である場合には、地面との接地部２１の湾曲部をストレートに形状変更し、地面との接地部２１を多く確保した安定のある形状とすることも好ましい。
【図面の簡単な説明】
【００２３】
【図１】本発明に係わる浸水防止シート壁の自立形成支持装置を備えた一実施例であって、浸水を防止すべく可撓性防水シート材からなる脱着可能な浸水防止装置の一実施例を示す斜視図である。
【図２】本発明に係わる浸水防止シート壁の自立形成支持装置を、可撓性防水シート材の立ち上がり部の内側に備えた一実施例を示す斜視図である。
【図３】本発明に係わる浸水防止シート壁の自立形成支持装置を、可撓性防水シート材の立ち上がり部の外側に備えた一実施例を示す斜視図である。
【図４】（ａ）は本発明の浸水防止シート壁の自立形成支持装置の設置完了時を示す斜視図である。（ｂ）は本発明の浸水防止シート壁の自立形成支持装置の設置工程の途中を示す斜視図である。（ｃ）は本発明の浸水防止シート壁の自立形成支持装置の設置工程の初期段階または収納時を示す斜視図である。
【図５】本発明に係わる浸水防止シート壁の自立形成支持装置を、浸水を防止する開口幅に合わせて複数連結設置できる状態の一実施例を示す斜視図である。
【図６】本発明に係わる浸水防止シート壁の自立形成支持装置を、複数連結設置できる状態の一実施例を示す斜視図である。
【図７】本発明に係わる浸水防止シート壁の自立形成支持装置を、排水桝開口部よりの排水逆流の浸水を防止すべく備えた状態の一実施例を示す斜視図である。
【図８】（ａ）は本発明の浸水防止シート壁の自立形成支持装置を、貯留漕や簡易プールなど流体（水など）を蓄える装置に備えた状態の一実施例を示す平面図である。（ｂ）は本発明の浸水防止シート壁の自立形成支持装置を、貯留漕や簡易プールなど流体（水など）を蓄える装置に備えた状態の一実施例を示すＡ−Ａ断面の斜視図である。
【図９】本発明に係わる浸水防止シート壁の自立形成支持装置を、地面接地部の湾曲部をストレートに形状変更した一実施例を示す斜視図である。
【符号の説明】
【００２４】  １シート支持具（自立形成支持装置）、２端部連結具（自立形成支持装置）、３フック、４係留穴、５可撓性防水シート材、６脱着可能な浸水防止装置（嵌め込み係留具）、７排水溝、８排水溝蓋、９水面、１０側壁、１１地面、１２連結具（連結リングなど）、１３引っ掛け係留具（鳩目など）、１４シート係留部、１５シート縁部、１６集水桝、１７排水逆流、１８連結具（ボルトなど）、１９通水開口部、２０先端部、２１地面との接地部、
【図１】
2008031816.tif 000003
【図２】
2008031816.tif 000004
【図３】
2008031816.tif 000005
【図４】
2008031816.tif 000006
【図５】
2008031816.tif 000007
【図６】
2008031816.tif 000008
【図７】
2008031816.tif 000009
【図８】
2008031816.tif 000010
【図９】
2008031816.tif 000011